(57)【要約】【課題】  小型化が図られた撮影装置を提供する【解決手段】  光束の径を制限する電子式絞り１００が、光透過性と遮光性とに制御される液晶１０１と、その液晶１０１に重ねて配置された、光透過性のトランジスタを含む光透過性の液晶駆動回路１０２とを備えた。【選択図】  図６
2006246229.tif 000002
【特許請求の範囲】
【請求項１】
撮影光学系により撮像素子上に被写体を結像して画像データを生成する撮影装置において、
前記撮影光学系の途中に配置された、光束の径を制限する絞りを備え、
前記絞りが、光透過性と遮光性とに制御される液晶と、該液晶に重ねて配置された、光透過性のトランジスタを含む光透過性の液晶駆動回路とを備えたものであることを特徴とする撮影装置。
【請求項２】
前記液晶が、二次元的にマトリックス配置されそれぞれが光透過性と遮光性とに制御される複数のセルから構成され、前記液晶駆動回路が該複数のセルそれぞれを光透過性と遮光性とに制御するものであることを特徴とする請求項１記載の撮影装置。
【請求項３】
撮影光学系により撮像素子上に被写体を結像して画像データを生成する撮影装置において、
前記撮影光学系の途中に配置された、光束の透過を時間的に制限するシャッタを備え、
前記シャッタが、光透過性と遮光性とに制御される液晶と、該液晶に重ねて配置された、光透過性のトランジスタを含む光透過性の液晶駆動回路とを備えたものであることを特徴とする撮影装置。
【発明の詳細な説明】
【技術分野】
【０００１】
本発明は、撮影光学系により撮像素子上に被写体を結像して画像データを生成する撮影装置に関する。
【背景技術】
【０００２】
従来より、デジタルカメラ等の撮影装置には、撮影場所の明るさなどに応じて被写体光の光量を調節するための絞りやＮＤフィルタ等が備えられている。絞りには、予め孔が空けられた板を孔が光軸上にくるように配置して光束を絞るものや、複数の絞り羽で光軸を取り囲み、その取り囲んだ絞り孔の大きさを変化させることによって、絞り孔を通過する光の光量を制御するものなどがある。それらの中でも、複数の絞り羽を使った絞りは、絞り孔の大きさを複数段階に調整することができ、光量調整の自由度が高いという利点がある。しかし、小絞り時における絞り孔の形状を真円に近づけようとすると、かなり多くの絞り羽を使用しなければならず、さらにこれら絞り羽根を駆動するモータ等も必要であるため、複雑な構造になってしまうという問題がある。また、機械的移動を伴うため、慣性による絞り制御の精度不良が生じたり、レンズに加わる振動等により絞りが変化するという問題もある。
【０００３】
そこで、開口部の全面に電極を設けた第１の液晶板と、開口部に複数の同心円状の電極を設けた第２の液晶板とを備えた液晶絞りが提案されている（特許文献１参照）。この技術によれば、第１，第２の液晶板で微調整，粗調整が行なわれるため、光束の径を精度よく制限することができる。
【０００４】
また、機械式シャッタに代えて、電圧が印加されない場合は光を散乱し、電圧が印加された場合は透過状態になる透過散乱型液晶を用いた電子式シャッタも提案されている（特許文献２参照）。この電子式シャッタは、機械式シャッタと比較し、故障が少ないため耐久性に優れているという利点を有する。
【特許文献１】実開平５−２１２５号公報
【特許文献２】特開平１１−１１２８４９号公報
【発明の開示】
【発明が解決しようとする課題】
【０００５】
しかし、上述した特許文献１に提案された技術では、液晶絞りを構成する第１，第２の液晶板を駆動するための駆動回路を、それら第１，第２の液晶板が配備された部分以外の、入射光の光路を避けた部分に備える必要がある。また、上述した特許文献２に提案された技術では、電子式シャッタを構成する透過散乱型液晶を駆動するための駆動回路を、その透過散乱型液晶が配備された部分以外の、入射光の光路を避けた部分に備える必要がある。従って、装置が大型化するという問題がある。
【０００６】
本発明は、上記事情に鑑み、小型化が図られた撮影装置を提供することを目的とする。
【課題を解決するための手段】
【０００７】
上記目的を達成する本発明の撮影装置のうちの第１の撮影装置は、撮影光学系により撮像素子上に被写体を結像して画像データを生成する撮影装置において、
上記撮影光学系の途中に配置された、光束の径を制限する絞りを備え、
上記絞りが、光透過性と遮光性とに制御される液晶と、その液晶に重ねて配置された、光透過性のトランジスタを含む光透過性の液晶駆動回路とを備えたものであることを特徴とする。
【０００８】
本発明の第１の撮影装置は、光束の径を制限する絞りが、光透過性と遮光性とに制御される液晶と、その液晶に重ねて配置された、光透過性のトランジスタを含む光透過性の液晶駆動回路とを備えたものである。即ち、絞りを構成する液晶および液晶駆動回路の双方が、入射光の光路に備えられている。このため、従来の、液晶を駆動するための駆動回路を、入射光の光路以外の部分に配備する技術と比較し、絞り全体のスペースを小さく抑えることができる。従って、装置の小型化が図られる。
【０００９】
ここで、本発明の第１の撮影装置における上記液晶が、二次元的にマトリックス配置されそれぞれが光透過性と遮光性とに制御される複数のセルから構成され、上記液晶駆動回路がそれら複数のセルそれぞれを光透過性と遮光性とに制御するものであることが好ましい。
【００１０】
このようにすると、液晶を構成する複数のセルそれぞれを細かく制御することができる。このため、光束が透過するエリアを真円に近づけることができる。従って、背景のボケがきれいな撮影画像を得ることができる。ここで、あえて背景のボケた像を得るためには、絞りの開口を大きくする必要がある。しかし、明るい場所での撮影では、シャッタスピードを高速にしても、絞りの開口を大きくすることができない場合がある。このような場合であっても、液晶全体の透過率を調整して半透明にすることで、絞りの開口を大きくすることができ、従ってきれいなボケを実現することができる。
【００１１】
また、上記目的を達成する本発明の撮影装置のうちの第２の撮影装置は、撮影光学系により撮像素子上に被写体を結像して画像データを生成する撮影装置において、
上記撮影光学系の途中に配置された、光束の透過を時間的に制限するシャッタを備え、
上記シャッタが、光透過性と遮光性とに制御される液晶と、その液晶に重ねて配置された、光透過性のトランジスタを含む光透過性の液晶駆動回路とを備えたものであることを特徴とする。
【００１２】
本発明の第２の撮影装置は、光束の透過を時間的に制限するシャッタが、光透過性と遮光性とに制御される液晶と、その液晶に重ねて配置された、光透過性のトランジスタを含む光透過性の液晶駆動回路とを備えたものである。即ち、シャッタを構成する液晶および液晶駆動回路の双方が、入射光の光路に備えられている。このため、従来の、液晶を駆動するための駆動回路を、入射光の光路以外の部分に配備する技術と比較し、シャッタ全体のスペースを小さく抑えることができる。従って、装置の小型化が図られる。
【発明の効果】
【００１３】
本発明によれば、小型化が図られた撮影装置を提供することができる。
【発明を実施するための最良の形態】
【００１４】
以下、本発明の実施の形態について説明する。
【００１５】
図１は、本発明の第１の撮影装置の一実施形態のデジタルカメラを前面斜め上から見た外観斜視図である。
【００１６】
図１に示すデジタルカメラ１０には、詳細は後述するが、液晶と、その液晶に重ねて配置された光透過性の駆動回路とを備えた電子式絞り（本発明にいう絞りの一例に相当）が組み込まれている。このデジタルカメラ１０の前面中央部には、ズームレンズ１０＿１ａを内部に備えたズーム鏡胴１０＿１が備えられている。また、このデジタルカメラ１０の前面上部には、撮影に同期してフラッシュを発するフラッシュ発光部１０＿２と、フラッシュ発光部１０＿２からのフラッシュの光量を制御するためにそのフラッシュの光量を検出するフラッシュ調光センサ１０＿３と、光学式ファインダを構成する光学式ファインダ対物窓１０＿４１ａとが備えられている。
【００１７】
また、このデジタルカメラ１０の前面左側には、このデジタルカメラ１０を確実に握ることができる形状を有するグリップ１０＿５と、セルフタイマ作動時等に点滅するセルフタイマランプ１０＿６が備えられている。
【００１８】
さらに、このデジタルカメラ１０の上面には、シャッタボタン１０＿８と、各種の設定を行なうためのモードダイヤル１０＿９と、電源ボタン１０＿１０とが備えられている。
【００１９】
図２は、図１に示すデジタルカメラを上から見た外観図である。
【００２０】
このデジタルカメラ１０には、前述したフラッシュ発光部１０＿２，シャッタボタン１０＿８，モードダイヤル１０＿９，電源ボタン１０＿１０に加えて、このデジタルカメラ１０の上方から下方に向けて設けられた斜面部に、フラッシュ発光部１０＿２をポップアップするためのポップアップボタン１０＿１２が備えられている。また、モードダイヤル１０＿９には、オートモードを示す文字ＡＵＴＯ、プログラムオートモードを示すＰ、シャッタスピード優先オートモードを示すＳ、絞り優先オートモードを示すＡ、マニュアルモードを示すＭ、動画モードを示す絵柄、および４つのシーンポジション（夜景、スポーツ、風景、人物のシーンポジション）を示す４つの絵柄が印刷されている。このモードダイヤル１０＿９を回転操作することにより、所望のモードに設定することができる。ここで、各モードについて簡単に説明する。
【００２１】
オートモード（ＡＵＴＯ）は、カメラ側で露出やホワイトバランス等全てを制御するためのモードである。プログラムオートモード（Ｐ）は、シャッタスピードと絞りを自動的に設定するためのモードである。シャッタスピード優先オートモード（Ｓ）は、シャッタスピードを優先的に設定するためのモードである。絞り優先オートモード（Ａ）は、絞りを優先的に設定するためのモードである。マニュアルモード（Ｍ）は、シャッタスピードと絞りを自由に設定するためのモードである。マニュアルモード（Ｍ）の隣りの絵柄で示される動画モードは、動画撮影用のモードである。
【００２２】
また、この動画モードから見て時計回りに４つの撮影シーン（夜景、スポーツ、風景、人物）を選択するための４つのシーンポジションモードがある。
【００２３】
夜景用のシーンポジションモードは、夕景や夜景などの雰囲気を活かした撮影に好適なモードである。スポーツ用のシーンポジションモードは、スポーツシーンをはじめ、動体撮影に好適なモードである。風景用のシーンポジションモードは、建物や山等、昼間の風景撮影に好適なモードである。人物用のシーンポジションモードは、肌色をより美しく写し出すことができるポートレート撮影に好適なモードである。
【００２４】
図３は、図１に示すデジタルカメラを背面から見た外観図である。
【００２５】
図３に示すデジタルカメラ１０の背面上部には、光学式ファインダを構成する光学式ファインダ接眼窓１０＿４２ｂと、露出補正ボタン１０＿２４と、押下することにより広角側（ワイド側）にズームアップする広角ズームボタン１０＿２５と、押下することにより望遠側（テレ側）にズームアップする望遠ズームボタン１０＿２６と、撮影モード側１０＿２７ａと再生モード側１０＿２７ｂとに切り換えるモードスイッチ１０＿２７とが備えられている。
【００２６】
また、モードスイッチ１０＿２７の下側には、フォトモードボタン１０＿３０と、十字ボタン１０＿３１と、メニュー／ＯＫボタン１０＿３２と、ＤＩＳＰ／ＢＡＣＫボタン１０＿３３とが備えられている。さらに、デジタルカメラ１０の背面中央部には、液晶モニタ１０＿３４が備えられている。
【００２７】
フォトモードボタン１０＿３０は、ピクセル数，感度，色味，プリント枚数等を設定するためのボタンである。
【００２８】
十字ボタン１０＿３１は、液晶モニタ１０＿３４上にメニュー画面などが表示された場合には、その十字キー１０＿３１の上ボタン１０＿３１ａ、下ボタン１０＿３１ｂ、左ボタン１０＿３１ｃ、右ボタン１０＿３１ｄの４つのボタンを操作することによってメニューの選択を行なうことができる。また、左ボタン１０＿３１ｃは、マクロ撮影を行なうか否かを切り換えるためのボタンでもあり、一度押下するとマクロ撮影モードとなり、再度押下するとマクロ撮影モードが解除される。さらに、右ボタン１０＿３１ｄは、フラッシュボタンの役割を担うボタンでもあり、押下する毎に、オートフラッシュ→赤目低減フラッシュ→強制フラッシュ→フラッシュ禁止→スローシンクロ→オートフラッシュというようにフラッシュの状態を繰り返し切り換えるためのボタンでもある。
【００２９】
メニュー／ＯＫボタン１０＿３２は、撮影時や再生時における各種のメニューを表示したり、選択されたメニューを決定するためのボタンである。
【００３０】
ＤＩＳＰ／ＢＡＣＫボタン１０＿３３は、ＤＩＳＰボタンおよびＢＡＣＫボタン双方の役割を担うボタンである。ＤＩＳＰボタンの役割の場合は、液晶モニタ１０＿３４に表示された画面の状態を切り換えるためのボタンとなり、例えば撮影時に液晶モニタ１０＿３４の表示をオン，オフしたり、再生時に文字表示をオン，オフしたりする。一方、ＢＡＣＫボタンの役割の場合は、ＭＥＮＵ／ＯＫボタン１０＿３２等による操作状態を１つ前に戻したり取り消したりするためのボタンとなる。
【００３１】
液晶モニタ１０＿３４は、このデジタルカメラ１０で被写体光を捉えて生成された画像データに基づく画像、およびメッセージ表示用の文字データに基づくメッセージを表示する。
【００３２】
図４は、図１に示すデジタルカメラを下から見た外観図である。
【００３３】
デジタルカメラ１０には電池カバー１０＿１３が備えられており、この図４には電池カバー１０＿１３が開放された状態のデジタルカメラ１０が示されている。
【００３４】
また、デジタルカメラ１０には、電池１０＿５０が挿入される電池挿入部１０＿１４が設けられている。さらに、このデジタルカメラ１０には、記録メディア１０＿５４が挿入される記録メディアスロット１０＿１５が設けられている。また、このデジタルカメラ１０には、三脚用ねじ穴１０＿１６も設けられている。
【００３５】
図５は、図１に示すデジタルカメラの内部構成を示す図である。
【００３６】
このデジタルカメラ１０には、撮影光学系を構成するズームレンズ１０＿１ａ，フォーカスレンズ１０＿１ｂ，本実施形態の特徴である後述する電子式絞り１００と、機械式シャッタ１０＿１ｃと、それらズームレンズ１０＿１ａ，フォーカスレンズ１０＿１ｂ，機械式シャッタ１０＿１ｃを駆動するズームモータ１１１，フォーカスモータ１１２，シャッタモータ１１３と、それらのモータを駆動するためのモータドライバ１２８が備えられている。
【００３７】
また、デジタルカメラ１０には、ＣＣＤ１１４と、タイミングジェネレータ１１５と、ＭＰＵ（Ｍｉｃｒｏ  Ｐｒｏｃｅｓｓｏｒ  Ｕｎｉｔ）１１６とが備えられている。
【００３８】
ＣＣＤ１１４は、ズームレンズ１０＿１ａ，フォーカスレンズ１０＿１ｂ，電子式絞り１００，機械式シャッタ１０＿１ｃを経由してきた被写体光を捉える固体撮像素子である。このＣＣＤ１１４には、入射された被写体光を電気信号である画像信号に変換するフォトダイオード等の光電変換素子が多数個備えられている。
【００３９】
タイミングジェネレータ１１５は、ＭＰＵ１１６からの指示により所定のタイミングでＣＣＤ１１４を駆動する。これにより、ＣＣＤ１１４に入射されている被写体光が所定のフレームレートで光電変換され、そのＣＣＤ１１４からアナログ画像信号として出力される。
【００４０】
ＭＰＵ１１６は、このデジタルカメラ１０全体の制御を行なう。具体的には、ＭＰＵ１１６にはＲＯＭ１１６ａが内蔵されており、その内蔵されたＲＯＭ１１６ａのプログラムの手順にしたがってデジタルカメラ１０全体の動作が制御される。
【００４１】
さらに、デジタルカメラ１０には、ＣＣＤ１１４から出力されたアナログ画像信号の雑音を低減する処理等を行なうＣＤＳＡＭＰ１１７と、その処理等が施されたアナログ画像信号をデジタル画像信号にアナログ／デジタル変換するＡ／Ｄ変換部１１８と、Ａ／Ｄ変換部１１８でデジタル画像信号に変換されたＲＧＢからなる画像データをデータバスを介して、メモリであるＳＤＲＡＭ１２５に転送する画像入力コントローラ１１９とが備えられている。
【００４２】
また、デジタルカメラ１０には、ＳＤＲＡＭ１２５の画像データを読み出させ、ＹＣ信号への変換を行なう画像処理プロセスを実行する画像信号処理部１２０と、画像処理プロセスが終了した時点でＪＰＥＧプロセスを実行して画像データの圧縮を行なう圧縮処理部１２１と、画像データをビデオ信号に変換して前述した液晶モニタ１０＿３４に導くためのＶｉｄｅｏ／ＬＣＤエンコーダ１２２とが備えられている。
【００４３】
さらに、デジタルカメラ１０には、画像のピント情報を検出するＡＦ検出部１２３と、画像の輝度情報と白色バランス情報を検出するＡＥ＆ＡＷＢ検出部１２４と、作業領域用のメモリとしても使用されるＳＤＲＡＭ１２５と、Ａ領域，Ｂ領域を有する表示用のバッファとしてのＶＲＡＭ１２６と、画像データを前述した記録メディア１０＿５４に記憶するための制御を行なうメディアコントローラ１２７とが備えられている。
【００４４】
尚、この図５には、前述したモードダイヤル１０＿９，ポップアップボタン１０＿１２，露出補正ボタン１０＿２４，モードスイッチ１０＿２７，フォトモードボタン１０＿３０，十字ボタン１０＿３１，メニュー／ＯＫボタン１０＿３２，ＤＩＳＰ／ＢＡＣＫボタン１０＿３３からなる操作部１０＿１００が示されている。
【００４５】
ここで、本実施形態の特徴である電子式絞り１００については後述することとし、先ず、このデジタルカメラ１０の概略動作について説明する。
【００４６】
このデジタルカメラ１０の動作は統括的にＭＰＵ１１６により制御される。このＭＰＵ１１６内にはＲＯＭ１１６ａが内蔵されており、その内蔵されたＲＯＭ１１６ａ内にプログラムが格納されている。このプログラムの手順にしたがってデジタルカメラ１０全体の動作がＭＰＵ１１６により制御される。また、ＳＤＲＡＭ１２５にはＲＯＭ１１６ａに記述されているプログラムの手順にしたがってＭＰＵ１１６がこのデジタルカメラ１０全体を制御しているときに、処理中の画像データが一時的に格納されたりする。
【００４７】
また、表示用のバッファとしてのＶＲＡＭ１２６にはスルー画像を表わす画像データがＡ領域、Ｂ領域に順次記憶され、それらの領域にある画像データが交互にＶｉｄｅｏ／ＬＣＤエンコーダ１２２に供給され画像データに基づく画像が順次切り換えられてスルー画像として液晶モニタ１０＿３４上に表示される。
【００４８】
先ず、モードダイヤル１０＿９（図２参照）がオートモード（ＡＵＴＯ）に切り替えられて撮影が行なわれた場合の画像データの流れを、図５を参照して説明する。
【００４９】
モードダイヤル１０＿９がオートモード（ＡＵＴＯ）に切り替えられると、ＭＰＵ１１６は撮影光学系を経由した被写体光をＣＣＤ１１４で捉え、そのＣＣＤ１１４で生成される画像データを所定の間隔ごとにＣＤＳＡＭＰ１１７側へ出力させ、Ａ／Ｄ変換部１１８，画像入力コントローラ１１９，画像信号処理部１２０で表示可能な画像データに変換してスルー画像を液晶モニタ１０＿３４の画面上に表示させる。そのスルー画像に基づいて任意にフレーミングが行なわれ、ＡＦ検出部１２３が絶えずフォーカスレンズ１０＿１ｃを前後させ合焦点検出を行なってフレーミングの中央に焦点のあった画像をＣＣＤ１１４に結像させる。このときにはＡＥ＆ＡＷＢ検出部１２４によって被写界輝度が検出され、その検出結果に基づいて後述する電子式絞り１００により小絞、あるいは開放絞りが設定されたり、ホワイトバランス調整のため、Ｒ、Ｇ、Ｂの各色信号のゲインが調整されたりする。このように被写界輝度に応じて露出が調節され焦点のあった画像を表わす画像データを、タイミングジェネレータ１１５からのタイミング信号に応じて所定の間隔ごとにＣＤＳＡＭＰ１１７へ出力させ、後段でスルー画像を得ている。撮影者はこのスルー画像を見ながらフレーミングを行ない、シャッタチャンスにレリーズ操作を行なう。
【００５０】
レリーズ操作が行なわれると、ＭＰＵ１１６は、ＣＣＤ１１４にレリーズ操作時の画像を結像させるため、タイミングジェネレータ１１５からタイミング信号を供給させる。このタイミング信号はＣＣＤ１１４に露光開始および露光終了を告げるものでありいわゆるシャッタスピードに相当する。ＭＰＵ１１６はこの露光終了時にＣＣＤ１１４から画像データ（ＲＧＢの光の３原色Ｒ，Ｇ、Ｂからなる画像データ）を出力させ、後段のＣＤＳＡＭＰ１１７に供給させる。さらに、ＣＤＳＡＭＰ１１７でそのＣＣＤ１１４から出力された画像データの雑音が低減され、その雑音が低減された画像データがＡ／Ｄ変換部１１８でデジタル信号に変換される。このＡ／Ｄ変換部１１８でデジタル信号に変換されたＲＧＢからなる画像データは、後段の画像入力コントローラ１１９によりデータバスを介してＳＤＲＡＭ１２５に供給され、このＳＤＲＡＭ１２５にＣＣＤ１１４のすべての画素の画像データが記憶される。すべての画素データに対応する画像データがＳＤＲＡＭ１２５に記憶されると、ＭＰＵ１１６が画像信号処理部１２０の画像処理プロセスを起動させ、その画像処理プロセスによってＳＤＲＡＭ１２５の画像データを読み出させ、ＹＣ信号への変換を行なわせる。さらに、この画像信号処理部１２０の画像処理プロセスが終了したことをＭＰＵ１１６が検知すると、ＭＰＵ１１６は圧縮処理部１２１のＪＰＥＧプロセスを起動させ、ＪＰＥＧプロセスによって画像データの圧縮を行なわせる。この圧縮処理部１２１での圧縮が完了したことをＭＰＵ１１６が検知すると、ＭＰＵ１１６は次に記録処理プロセスを起動させ、ＪＰＥＧ圧縮された画像データを、メディアコントローラ１２７を介して記録メディア１０＿５４に記録させる。以上がオートモードのときの撮影データの流れである。
【００５１】
以降、モードダイヤル１０＿９がマニュアルモードに切り替えられたときの画像データの処理について説明する。
【００５２】
モードダイヤル１０９がマニュアルモード（Ｍ）に切り替えられると、撮影条件が手動により設定されて撮影が行なわれる。このデジタルカメラ１０においては撮影条件の一つであるフォーカスポイントも自在に設定することができるが、ここでは撮影条件の１つとして露出条件を挙げて以降説明する。
【００５３】
モードダイヤル１０＿９がマニュアルモード（Ｍ）に切り替えられると、スルー画像とともに露出補正値、シャープネス、フラッシュ光量などの補正を行なうための表示画面が液晶モニタ１０＿３４に表示される。この表示画面の中の選択項目、例えば露出値の切り替えを十字キー１０＿３１により行なうことができる。
【００５４】
このようにマニュアルモードのときには、撮影者が任意に撮影条件の設定を行なえるようになっており、これらの撮影条件下で撮影が行なわれる。
【００５５】
このようなマニュアルモードで撮影が行なわれるときには、その設定された撮影条件によって露光アンダーであろうが、露光オーバーであろうがそのまま撮影が行なわれる。例えば、この露光アンダー、露光オーバーは、ＡＥ＆ＡＷＢ検出部１２４の検出結果に基づきＭＰＵ１１６が判定する。
【００５６】
次に、電子式絞り１００について図６を参照して説明する。
【００５７】
図６は、図５に示す電子式絞りと、その周辺部材とを示す図である。
【００５８】
図６には、ズームレンズ１０＿１ａと、フォーカスレンズ１０＿１ｂと、電子式絞り１００と、機械式シャッタ１０＿１ｃと、ＣＣＤ１１４とが示されている。
【００５９】
ズームレンズ１０＿１ａおよびフォーカスレンズ１０＿１ｂを経由してきた被写体光Ａは、電子式絞り１００に入射される。
【００６０】
電子式絞り１００は、入射光Ａの光束の径を制限するものであり、この電子式絞り１００には、光透過性と遮光性とに制御される液晶１０１が備えられている。また、この電子式絞り１００には、液晶１０１に重ねて配置された、後述する光透過性のトランジスタを含む光透過性の液晶駆動回路１０２が備えられている。
【００６１】
液晶１０１は、二次元的にマトリックス配置されそれぞれが光透過性と遮光性とに制御される複数の液晶セル１０１ａから構成されている。一方、液晶駆動回路１０２は、それら複数の液晶セル１０１ａに対応して二次元的にマトリックス配置された光透過性のトランジスタを含む回路であり、それら複数の液晶セル１０１ａそれぞれを光透過性と遮光性とに制御する。
【００６２】
図７は、図６に示す電子式絞りが制御される様子を示す図である。
【００６３】
図７（ａ）は、液晶分子１０１ａを含む液晶層１０１が光を遮断する状態を示す。一方、図７（ｂ）は、液晶分子１０１ａを含む液晶層１０１が光を透過する状態を示す。このような光の遮断、透過の切り替えは電圧を液晶層１０１に印加することによって行なうことができ、その電圧印加のスイッチングを液晶駆動回路１０２を構成する光透過性のトランジスタで制御する。これにより電子式絞り１００の電気的な光の遮断、透過の切り替えが行なえる。
【００６４】
ここで、各種の液晶方式について説明する。液晶方式としては、ホログラフィック液晶方式、コレステリック液晶選択反射方式、ゲストホスト方式、高分子分散型液晶方式（ＰＤＬＣ）が知られている。これら液晶方式における液晶は、二周波駆動液晶と組合せて用いることが好ましい。
【００６５】
先ず、ホログラフィック液晶方式について説明する。
【００６６】
ホログラフィック液晶方式とは、ネマチック液晶にモノマーを添加した系に、二光束干渉法により特定の波長の光だけ選択反射するような周期的な屈折率の分布を形成させる方法である。
【００６７】
図８は、ホログラフィック液晶方式の原理を説明するための模式図である。
【００６８】
図８に示す、ホログラフィック液晶方式を採用した反射型表示板２１＿１０には、液晶分子２１＿１１と、ポリマー２１＿１２と、それら液晶分子２１＿１１およびポリマー２１＿１２を封止する封止部材２１＿１３とが備えられている。
【００６９】
反射モードにおいては、液晶分子２１＿１１はランダムであり、ポリマー２１＿１２との屈折率の差は大きい。このため、入射光Ａはブラッグ反射の原理により、図８に示す反射光Ｂのように、いわゆる選択反射される。
【００７０】
一方、透過モードにおいては、液晶分子２１＿１１は垂直であり、ポリマー２１＿１２との液晶分子２１＿１１の長軸方向の屈折率はほぼ同じである。このため、屈折率の差は小さく、従って入射光Ａは透過することとなる。
【００７１】
次に、コレステリック液晶選択反射方式について説明する。
【００７２】
図９は、コレステリック液晶選択反射方式の原理を説明するための模式図である。
【００７３】
図９に示す、コレステリック液晶選択反射方式を採用した反射型表示板２１＿２０には、液晶分子２１＿２１と、透明電極２１＿２２が備えられている。
【００７４】
コレステリック液晶選択反射方式においては、二色性色素は入っておらず、このコレステリック液晶選択反射方式では、液晶分子２１＿２１の屈折率分布を光の波長程度にすることで、特定の波長の光のみ選択反射させる。
【００７５】
ここで、コレステリック状態とは、コレステリック液晶、またはカイラル剤とネマティック液晶との混合物により形成させる螺旋状の配向状態であり、螺旋ピッチに応じた波長の光を選択的に反射する性質を示す。図９（ａ）に示すように、コレステリック相の螺旋軸が透明電極２１＿２２に対して垂直に向いている状態をプラナー状態と呼び、螺旋ピッチに応じた波長の光Ａを選択的に光Ｂとして反射する性質を示す。一方、図９（ｂ）に示すように、コレステリック相の螺旋軸が透明電極２１＿２２に対して水平に向いている状態をフォーカルコニック状態と呼び、この場合光Ａは反射されず、透過する。このプラナー状態とフォーカルコニック状態は電圧の印加方法により、作り分けることができ、また各々の状態はメモリ性を有するという特徴がある。コレステリック相転移の駆動方式については、特開２００１−２０１７６２号公報に記載の方法が参考となる。螺旋ピッチの制御は、カイラル剤の濃度を変えることによってできる。通常、カイラル剤の濃度が高いほど、螺旋ピッチは短くなり、より短波長側の光を選択反射するようになる。
【００７６】
次に、ホログラフィック液晶方式およびコレステリック液晶選択反射方式の実施例について説明する。
【００７７】
実施例１．ホログラフィック液晶方式
液晶層として、二周波駆動用ネマチック液晶ＤＦ０２ｘｘ（チッソ社製）、モノマーとして２―エチルヘキシルアクリレートとウレタンアクリレートオリゴマーの混合物を用いて、そこに光重合開始剤を添加した液晶層を作製した。アルゴンレーザー（４８８ｎｍ）の二光束干渉法による光硬化を行い、４００ｎｍから７００ｎｍの光を選択反射する調光フィルタ（セルギャップ２５μｍ）を作製した。
【００７８】
本実施例の素子は、５５０ｎｍの光に対して、透過率が８５％（電圧印加時の状態）から、透過率が２．０％（電圧無印加の状態）にまで変化させることができる。
【００７９】
実施例２．コレステリック液晶方式
液晶として、５ＣＢ（メルク社製）を、カイラル剤としてＲ―８１１およびＳ―８１１（ともにメルク社製）を用いて、カイラル剤の濃度を調製することにより可視域の光（４００ｎｍから７００ｎｍ）を選択反射する右巻きのコレステリック液晶層と左巻きのコレステリック液晶層を作製し（セルギャップ１０μｍ）、これら２層を積層させた。
【００８０】
本実施例の素子は、５５０ｎｍの光に対して、透過率が９０％（フォーカルコニックの状態）から、透過率が３２．０％（プレナーの状態）にまで変化させることができる。
【００８１】
次に、ゲストホスト方式について説明する。
【００８２】
ゲストホスト方式における液晶層は、交流電場の周波数に応じて液晶分子の配列が変化する性質をもつネマチック液晶と、可視域の光を吸収する二色性色素（必要に応じて、イエロー域を吸収する二色性色素、マゼンタ域を吸収する二色性色素、シアン域を吸収する二色性色素を適宜混合して用いる）を組成成分としている。さらに液晶層には、後述するように液晶分子の配列がらせん状になるようにするため、カイラル剤が加えられる。例えば、ネマチック液晶は、チッソ社製の二周波駆動用ネマチック液晶ＤＦ０２ｘｘであり、二色性色素は、三井東圧社製の黒色色素である。また、カイラル剤として、メルク社製のＲ―８１１が用いられる。ネマチック液晶の液晶分子は、ほぼ楕円体の形状をしており、低周波の交流電場をかけると楕円体の長軸が電場の向きと平行になり、高周波の交流電場をかけると楕円体の長軸が電場の向きと直交する性質を持つ。カイラル剤を加えることにより、楕円体の長軸が電場の向きと直交するときの配位は、電場の方向をらせん軸としたらせん状の配位となる。可視域の光を吸収する二色性色素は、ネマチック液晶中に溶解しているため、交流電場の周波数の変化に対してネマチック液晶分子と同様に配列が変化する。この二色性色素もほぼ楕円体の形状をしており、楕円体の長軸と光の入射方向が直交している時は可視域の光を吸収するが、楕円体の長軸と光の入射方向が平行の時は可視域の光を吸収しない性質を持つ。そのため、楕円体の長軸と光の方向が平行の時は、赤、緑、青の３色全ての波長域の光が透過し、外部からは液晶層は透明に見える。また、楕円体の長軸と光の入射方向が直交している時、二色性色素がらせん状の配位をとることで、長軸方向が、電場方向と垂直な２次元面内の様々な方向を向き、このため可視域の光がどの方向から入射しても吸収しやすくなる。以下では、交流電場の周波数の変化に伴うこのような配列の変化について具体的に説明する。
【００８３】
例えば、液晶分子層における電場は、これらの液晶分子層に垂直な方向に印加される。二色性色素と液晶分子は、それぞれの液晶分子層内ではどれも同じ方向に配列されるが、この配列は液晶分子層全体ではらせん状になっている。赤、緑、青のそれぞれの波長域の光は、電場と平行に、すなわち液晶分子層に対して垂直に入射し、二色性色素によって可視域の光が吸収される。液晶層のこのような状態をオン状態と呼ぶ。
【００８４】
低周波の交流電場をかけたとき、電場の方向に対して液晶分子の長軸は、電場の向きと平行になるため、二色性色素も長軸が電場の向きと平行になるように配列される。光は、電場の向きと平行に入射するが、光の入射方向と二色性色素の長軸とが平行であるため、入射光はそのまま液晶層を透過する。液晶層のこのような状態をオフ状態と呼ぶ。以上説明した構成を用いたときのオン状態とオフ状態の切り替えにかかる時間は、例えば８ｍｓ〜１０ｍｓである。
【００８５】
図１０は、図７に示す電子式絞りの分解斜視図である。
【００８６】
図１０には、電子式絞り１００を構成する液晶１０１が示されている。この液晶１０１は、前述したようにマトリックス配置された複数の液晶セル１０１ａから構成されている。また、この液晶１０１に重ねて配置された液晶駆動回路１０２が示されている。この液晶駆動回路１０２には、マトリックス配置された複数の液晶セル１０１ａに対応してマトリックス配置された複数の光透過性のトランジスタ（以下、透明トランジスタと称する）３１が備えられている。また、この液晶駆動回路１０２には、それらの透明トランジスタ３１を制御するための制御回路１０２ａ，１０２ｂも備えられている。
【００８７】
図１１は、図１０に示す透明トランジスタの作成手順を示した断面図、図１２は、図１１に示す透明電極を有するＰ1層，Ｎ層，Ｐ2層を上から見た図である。
【００８８】
図１０に示す透明トランジスタ３１を作成するには、先ず、図１１（ａ）に示すように、透明絶縁層３１＿１を形成する。次いで、図１１（ｂ）および図１２に示すように、透明絶縁層３１＿１上に、透明電極３１＿２ａを有するＰ型の透明半導体層（Ｐ1層）３１＿２，透明電極３１＿３ａを有するＮ型の透明半導体層（Ｎ層）３１＿３，透明電極３１＿４ａを有するＰ型の透明半導体層（Ｐ2層）３１＿４を順次に形成する。
【００８９】
さらに、図１１（ｃ）に示すように、透明絶縁層３１＿５を形成する。このようにして、透明トランジスタ３１を作成する。
【００９０】
ここで、透明トランジスタ３１の製造方法の詳細について説明する。
【００９１】
透明トランジスタ３１を形成させる基板としては、ガラス基板あるいはフイルム基板が用いられる。
【００９２】
透明トランジスタ３１の形成方法としては、上記基板上に、ＭＢＥ法、パルスレーザー蒸着法（ＰＬＤ法）等により、ＺｎＯ単結晶薄膜をエピタキシャル成長させ、次に、そのＺｎＯ薄膜上に、ＩｎＭＯ3（ＺｎＯ）ｍ（Ｍ＝Ｉｎ，Ｆｅ，Ｇａ，Ａｌ、ｍ＝１以上５０未満の整数）と記述されるホモロガス化合物薄膜を、ターゲットとして、その酸化物の多結晶焼結体を使用して、ＭＢＥ法、パルスレーザー蒸着法（ＰＬＤ法）等により成長させる方法が挙げられる。
【００９３】
得られた薄膜は、単結晶膜である必要はなく、多結晶膜でも、アモルファス膜でも良い。最後に、薄膜全体をカバーできるように高融点化合物、例えばＡｌ2Ｏ3を被せ、高温で、ＺｎＯ蒸気を含む大気圧中で加熱拡散処理を行なうことが好ましい。
【００９４】
ＩｎＭＯ3（ＺｎＯ）ｍ（Ｍ＝Ｉｎ，Ｆｅ，Ｇａ、又はＡｌ、ｍ＝１以上５０未満の整数）とＺｎＯ膜が相互に拡散・反応し、温度を適切に設定すれば、均一組成ＩｎＭＯ3（ＺｎＯ）ｍ'（Ｍ＝Ｉｎ，Ｆｅ，Ｇａ、又はＡｌ、ｍ'＝１以上５０未満の整数）となる。ｍ'は、ＩｎＭＯ3（ＺｎＯ）ｍ（Ｍ＝Ｉｎ，Ｆｅ，Ｇａ、又はＡｌ、ｍ＝１以上５０未満の整数）とＺｎＯ膜厚比から決まるが、ＺｎＯ膜厚が５ｎｍ未満で、ＩｎＭＯ3（ＺｎＯ）ｍ（Ｍ＝Ｉｎ，Ｆｅ，Ｇａ、又はＡｌ、ｍ＝１以上５０未満の整数）膜厚が１００ｎｍを越える場合には、ｍ＝ｍ'である。
【００９５】
適切な温度は８００℃以上，１６００℃以下、より好ましくは１２００℃以上，１５００℃以下である。８００℃未満では拡散が遅く、均一組成のＩｎＭＯ3（ＺｎＯ）ｍ（Ｍ＝Ｉｎ，Ｆｅ，Ｇａ、又はＡｌ、ｍ＝１以上５０未満の整数）が得られない。また，１６００℃を越えるとＺｎＯの蒸発が抑えられなくなり均一組成のＩｎＭＯ３（ＺｎＯ）ｍ（Ｍ＝Ｉｎ，Ｆｅ，Ｇａ、又はＡｌ、ｍ＝１以上５０未満の整数）が得られない。
【００９６】
また、反応性固相エピタキシャル成長法で得られたＺｎＯを含むホモロガス単結晶膜は、化学量論組成に近く、室温では、１０８Ｗ・ｃｍ以上の高い絶縁性を示し、ノーマリーオフ電界効果型トランジスタに適している。
【００９７】
得られたＺｎＯを主たる構成成分として含有するホモロガス単結晶薄膜を活性層とした、トップゲート型ＭＩＳ電界効果型トランジスタを作製することができる。
【００９８】
先ず、基板上にエピタキシャル成長したＺｎＯを主たる構成成分として含有するホモロガス単結晶薄膜上にゲート絶縁膜及びゲート電極用の金属膜を形成する。ゲート絶縁膜には、Ａｌ2Ｏ3が最も適している。ゲート電極用金属膜は、Ａｕ，Ａｇ，Ａｌ、又はＣｕ等を用いることができる。光リソグラフィー法及びドライエッチング、又はリフトオフ法により、ゲート電極を作製し、最後に、ソース電極及びドレイン電極を作成する。
【００９９】
本実施形態の電界効果型トランジスタの形状は、トップゲート型ＭＩＳ電界効果型トランジスタ（ＭＩＳ−ＦＥＴ）、Ｊ−ＦＥＴ等も含まれる。
【０１００】
ＺｎＯを主たる構成成分として含有するホモロガスアモルファス薄膜を用いても、同様に、トップゲート型ＭＩＳ電界効果型トランジスタを作成することができる。また、アモルファス薄膜の場合は、エピタキシャル成長させる必要はないので、ＺｎＯエピタキシャル成長及び高温アニールプロセスを除くことができる。このために、ゲート電極を基板と膜の間に作りつけることが可能で、ボトムゲート型ＭＩＳ電界効果型トランジスタも作製することができる。
【０１０１】
以下に実施例を挙げて詳細に説明する。
【０１０２】
実施例１
１．単結晶ＩｎＧａＯ3（ＺｎＯ）5薄膜の作製
シリコン単結晶基板上にＰＬＤ法により厚み２ｎｍのＺｎＯ薄膜を基板温度７００℃でエピタキシャル成長させた。次に、基板温度を室温まで冷却し、そのＺｎＯエピタキシャル薄膜上にＰＬＤ法により、厚み１５０ｎｍの多結晶ＩｎＧａＯ3（ＺｎＯ）5薄膜を堆積させた。こうして作製した二層膜を大気中に取り出し、電気炉を用いて、大気中、１４００℃、３０ｍｉｎ加熱拡散処理した後、室温まで冷却した。
２．ＭＩＳＦＥＴ素子の作製
フォトリソグラフィー法により、トップゲート型ＭＩＳＦＥＴ素子を作製した。ソースとドレイン電極及びゲート絶縁膜にはＡｕ及びアモルファスＡｌ2Ｏ3をそれぞれ用いた。チャネル長及びチャネル幅はそれぞれ０．０５ｍｍ及び０．２ｍｍである。
【０１０３】
以上説明したように、本発明の第１の撮影装置の一実施形態であるデジタルカメラ１０は、光束の径を制限する電子式絞り１００が、光透過性と遮光性とに制御される液晶１０１と、その液晶１０１に重ねて配置された、光透過性のトランジスタ３１を含む光透過性の液晶駆動回路１０２とを備えたものである。即ち、電子式絞り１００を構成する液晶１０１および液晶駆動回路１０２の双方が、入射光の光路に備えられている。このため、従来の、液晶を駆動するための駆動回路を、入射光の光路以外の部分に配備する技術と比較し、電子式絞り１００全体のスペースを小さく抑えることができる。従って、デジタルカメラ１０の小型化が図られている。
【０１０４】
また、このデジタルカメラ１０では、液晶１０１が、二次元的にマトリックス配置されそれぞれが光透過性と遮光性とに制御される複数の液晶セル１０１ａから構成され、液晶駆動回路１０２がそれら複数の液晶セル１０１ａそれぞれを光透過性と遮光性とに制御するものである。このため、液晶１０１を構成する複数の液晶セル１０１ａそれぞれを細かく制御することができ、光束が透過するエリアを真円に近づけることができる。従って、背景のボケがきれいな撮影画像を得ることができる。ここで、あえて背景のボケた像を得るためには、絞りの開口を大きくする必要がある。しかし、明るい場所での撮影では、シャッタスピードを高速にしても、絞りの開口を大きくすることができない場合がある。このような場合であっても、本実施形態では、液晶１０１全体の透過率を調整し、半透明にすることで、電子式絞り１００の開口を大きくすることができ、従ってきれいなボケを実現することができる。
【０１０５】
次に、本発明の第２の撮影装置の一実施形態のデジタルカメラについて説明する。
【０１０６】
図１３は、本発明の第２の撮影装置の一実施形態のデジタルカメラの内部構成を示す図である。
【０１０７】
尚、本発明の第２の撮影装置の一実施形態のデジタルカメラ４０の外観図は、前述した本発明の第１の撮影装置の一実施形態のデジタルカメラ１０の外観図と同じであるため、図示省略する。
【０１０８】
図１３に示すデジタルカメラ４０は、前述したデジタルカメラ１０と比較し、機械式絞り４１，電子式シャッタ２００，絞りモータ４２が異なっている。ここで、電子式シャッタ２００が、本発明の第２の撮影装置におけるシャッタの一例に相当する。
【０１０９】
図１４は、図１３に示す電子式シャッタと、その周辺部材とを示す図である。
【０１１０】
図１４には、ズームレンズ１０＿１ａと、フォーカスレンズ１０＿１ｂと、機械式絞り４１と、電子式シャッタ２００と、ＣＣＤ１１４とが示されている。
【０１１１】
ズームレンズ１０＿１ａ、フォーカスレンズ１０＿１ｂ、および機械式絞り４１を経由してきた被写体光Ａは、電子式シャッタ２００に入射される。
【０１１２】
電子式シャッタ２００は、入射光Ａの光束の透過を制限するものであり、この電子式シャッタ２００には、光透過性と遮光性とに制御される液晶２０１が備えられている。また、この電子式シャッタ２００には、液晶２０１に重ねて配置された、前述した光透過性のトランジスタ３１を含む光透過性の液晶駆動回路２０２が備えられている。
【０１１３】
液晶２０１は、二次元的にマトリックス配置されそれぞれが光透過性と遮光性とに制御される複数の液晶セル２０１ａから構成されている。一方、液晶駆動回路２０２は、それら複数の液晶セル２０１ａに対応して二次元的にマトリックス配置された光透過性のトランジスタ３１を含む回路であり、それら複数の液晶セル２０１ａそれぞれを光透過性と遮光性とに制御する。
【０１１４】
図１５は、図１４に示す電子式シャッタが制御される様子を示す図である。
【０１１５】
電子式シャッタ２００を閉じた状態に制御するには、図１５（ａ）に示すように、入射光Ａに対して、液晶セル２０１ａが、その液晶セル２０１ａの長軸方向に垂直になるように、液晶駆動回路２０２で制御する。すると、入射光Ａは、いわゆる選択反射され、これにより電子式シャッタ２００は閉じた状態になる。
【０１１６】
一方、電子式シャッタ２００を開口状態に制御するには、図１５（ｂ）に示すように、入射光Ａに対して、液晶セル２０１ａが斜めになるように、液晶駆動回路２０２で制御する。すると、入射光Ａの一部が、その液晶２０１および光透過性の液晶駆動回路２０２を透過し、これにより光Ｂが得られることとなる。
【０１１７】
本発明の第２の撮影装置の一実施形態であるデジタルカメラ４０は、光束の透過を時間的に制限する電子式シャッタ２００が、光透過性と遮光性とに制御される液晶２０１と、その液晶２０１に重ねて配置された、光透過性のトランジスタ３１を含む光透過性の液晶駆動回路２０２とを備えたものである。即ち、電子式シャッタ２００を構成する液晶２０１および液晶駆動回路２０２の双方が、入射光の光路に備えられている。このため、従来の、液晶を駆動するための駆動回路を、入射光の光路以外の部分に配備する技術と比較し、電子式シャッタ２００全体のスペースを小さく抑えることができる。従って、デジタルカメラ４０の小型化が図られている。
【０１１８】
尚、上述した本実施形態では、デジタルカメラの例で説明したが、これに限られるものではなく、本発明は、携帯電話に搭載されるカメラやビデオカメラ等であってもよい。
【図面の簡単な説明】
【０１１９】
【図１】本発明の第１の撮影装置の一実施形態のデジタルカメラを前面斜め上から見た外観斜視図である。
【図２】図１に示すデジタルカメラを上から見た外観図である。
【図３】図１に示すデジタルカメラを背面から見た外観図である。
【図４】図１に示すデジタルカメラを下から見た外観図である。
【図５】図１に示すデジタルカメラの内部構成を示す図である。
【図６】図５に示す電子式絞りと、その周辺部材とを示す図である。
【図７】図６に示す電子式絞りが制御される様子を示す図である。
【図８】ホログラフィック液晶方式の原理を説明するための模式図である。
【図９】コレステリック液晶選択反射方式の原理を説明するための模式図である。
【図１０】図７に示す電子式絞りの分解斜視図である。
【図１１】図１０に示す透明トランジスタの作成手順を示した断面図である。
【図１２】図１１に示す透明電極を有するＰ1層，Ｎ層，Ｐ2層を上から見た図である。
【図１３】本発明の第２の撮影装置の一実施形態のデジタルカメラの内部構成を示す図である。
【図１４】図１３に示す電子式シャッタと、その周辺部材とを示す図である。
【図１５】図１４に示す電子式シャッタが制御される様子を示す図である。
【符号の説明】
【０１２０】
１０，４０  デジタルカメラ
１０＿１  ズーム鏡胴
１０＿１ａ  ズームレンズ
１０＿１ｂ  フォーカスレンズ
１０＿１ｃ  機械式シャッタ
１０＿２  フラッシュ発光部
１０＿３  フラッシュ調光センサ
１０＿４  光学式ファインダ
１０＿５  グリップ
１０＿６  セルフタイマランプ
１０＿８  シャッタボタン
１０＿９  モードダイヤル
１０＿１０  電源ボタン
１０＿１２  ポップアップボタン
１０＿１３  電池カバー
１０＿１４電池挿入部
１０＿１５  記録メディアスロット
１０＿１６  三脚用ねじ穴
１０＿２４  露出補正ボタン
１０＿２５  広角ズームボタン
１０＿２６  望遠ズームボタン
１０＿２７  モードスイッチ
１０＿３０  フォトモードボタン
１０＿３１  十字ボタン
１０＿３１ａ  上ボタン
１０＿３１ｂ  下ボタン
１０＿３１ｃ  左ボタン
１０＿３１ｄ  右ボタン
１０＿３２  メニュー／ＯＫボタン
１０＿３３  ＤＩＳＰ／ＢＡＣＫボタン
１０＿３４  液晶モニタ
１０＿４１ａ  光学式ファインダ対物窓
１０＿４２ｂ  光学式ファインダ接眼窓
１０＿５０  電池
１０＿５４  記録メディア
１０＿１００  操作部
２１＿１０，２１＿２０  反射型表示板
２１＿１１，２１＿２１  液晶分子
２１＿１２  ポリマー
２１＿１３  封止部材
２１＿２２  透明電極
３１  透明トランジスタ
３１＿１  透明絶縁層
３１＿２  Ｐ1層
３１＿２ａ，３１＿３ａ，３１＿４ａ  透明電極
３１＿３  Ｎ層
３１＿４  Ｐ2層
４１  機械式絞り
４２  絞りモータ
１００  電子式絞り
１０１，２０１  液晶
１０１ａ，２０１ａ  液晶セル
１０２，２０２  液晶駆動回路
１０２ａ，１０２ｂ  制御回路
１１１  ズームモータ
１１２  フォーカスモータ
１１３  シャッタモータ
１１４  ＣＣＤ
１１５  タイミングジェネレータ
１１６  ＭＰＵ
１１６ａ  ＲＯＭ
１１７  ＣＤＳＡＭＰ
１１８  Ａ／Ｄ変換部
１１９  画像入力コントローラ
１２０  画像信号処理部
１２１  圧縮処理部
１２２  Ｖｉｄｅｏ／ＬＣＤエンコーダ
１２４  ＡＥ＆ＡＷＢ検出部
１２３  ＡＦ検出部
１２５  メモリ（ＳＤＲＡＭ）
１２６  ＶＲＡＭ
１２７  メディアコントローラ
１２８  モータドライバ
２００  電子式シャッタ
【図１】
2006246229.tif 000003
【図２】
2006246229.tif 000004
【図３】
2006246229.tif 000005
【図４】
2006246229.tif 000006
【図５】
2006246229.tif 000007
【図６】
2006246229.tif 000008
【図７】
2006246229.tif 000009
【図８】
2006246229.tif 000010
【図９】
2006246229.tif 000011
【図１０】
2006246229.tif 000012
【図１１】
2006246229.tif 000013
【図１２】
2006246229.tif 000014
【図１３】
2006246229.tif 000015
【図１４】
2006246229.tif 000016
【図１５】
2006246229.tif 000017